(57)【要約】【課題】手首に無理のない円滑な操作でスムーズに開くことが可能な扉を提供する。【解決手段】基端側縁部11が枢着される扉本体１と、扉本体１の先端側縁部12寄りに配設される取手部材と、取手部材の揺動操作に連動するラッチ部材３と、を備えた扉であって、取手部材の両側縁部21，22の内、扉本体１の基端側縁部11側の側縁部21を枢着し、平面視で、扉本体１の扉開動作揺動方向Ｎ１と、取手部材の開操作揺動方向Ｎ２を同方向とした。【選択図】図３
0003174356.tif 000002
【実用新案登録請求の範囲】
【請求項１】
基端側縁部（11）が枢着される扉本体（１）と、該扉本体（１）の先端側縁部（12）寄りに配設される取手部材（２）と、該取手部材（２）の揺動操作に連動するラッチ部材（３）と、を備えた扉に於て、
上記取手部材（２）の両側縁部（21）（22）の内、上記扉本体（１）の上記基端側縁部（11）側の側縁部（21）を枢着し、
平面視で、上記扉本体（１）の扉開動作揺動方向（Ｎ１）と、上記取手部材（２）の開操作揺動方向（Ｎ２）を同方向としたことを特徴とする扉。
【請求項２】
上記扉本体（１）の表て面（１ｄ）に対する上記取手部材（２）の開操作揺動角度（θ）が、３°〜７°の角度をもって、上記ラッチ部材（３）による上記扉本体（１）の係留状態が解除されるように構成されている請求項１記載の扉。
【考案の詳細な説明】
【技術分野】
【０００１】
本考案は、扉に関する。
【背景技術】
【０００２】
従来、キャビネットやロッカー等の収納庫に使用される扉は、前方開口状の筐体にヒンジ部材を介して基端側縁部が枢着される扉本体と、扉本体の先端側縁部寄りに配設される取手部材と、取手部材の枢着軸心廻りの揺動に連動すると共に扉本体を筐体に係留するためのラッチ部材と、を備えている（例えば、特許文献１参照）。
【先行技術文献】
【特許文献】
【０００３】
【特許文献１】特開２００９−１１４７０８号公報
【考案の概要】
【考案が解決しようとする課題】
【０００４】
しかし、従来の扉は、ラッチ部材による扉本体の係留状態を解除するために、取手部材を操作すると、その取手部材の揺動する方向が、扉本体が開く揺動方向と、相違するため、手首を左右外方へ曲げたような不自然な把持姿勢で、扉本体を手前に引いて揺動させなければならないといった問題があった。
特に、高齢者等の身体弱者は、力が入りにくく、スムーズに扉本体を揺動できなかった。また、手首に無理な力が係りやすく、手首を痛める虞があった。
そこで、本考案は、手首に無理のない円滑な操作でスムーズに開くことが可能な扉の提供を目的とする。
【課題を解決するための手段】
【０００５】
上記目的を達成するために、本考案の扉は、基端側縁部が枢着される扉本体と、該扉本体の先端側縁部寄りに配設される取手部材と、該取手部材の揺動操作に連動するラッチ部材と、を備えた扉に於て、上記取手部材の両側縁部の内、上記扉本体の上記基端側縁部側の側縁部を枢着し、平面視で、上記扉本体の扉開動作揺動方向と、上記取手部材の開操作揺動方向を同方向としたものである。
また、上記扉本体の表て面に対する上記取手部材の開操作揺動角度が、３°〜７°の角度をもって、上記ラッチ部材による上記扉本体の係留状態が解除されるように構成されているものである。
【考案の効果】
【０００６】
本考案によれば、操作性に優れ、円滑かつ自然に扉を開けることができる。開操作をする際に手首に負担がかからず、容易かつスムーズに扉を開くことができる。手首を痛める虞が少なく、関節の弱い身体弱者であっても安全に扉を開けることができる。
【図面の簡単な説明】
【０００７】
【図１】本考案の扉の実施の一形態を示す正面図である。
【図２】係留状態を示す要部断面平面図である。
【図３】係留解除状態を示す要部断面平面図である。
【図４】取手部材の一例を示す正面図である。
【図５】取手部材の一例を示す平面図である。
【考案を実施するための形態】
【０００８】
以下、図示の実施形態に基づき本考案を詳説する。
本考案の扉は、図１に於て、前方開口箱型の筐体９に、基端側縁部11がヒンジ部を介して鉛直状の扉枢着軸心Ｌ１廻りに揺動自在に枢着される扉本体１を備えている。
また、扉本体１の先端側縁部12寄りに配設される正面視矩形状の取手部材２と、取手部材２の揺動操作に連動して扉本体１を筐体９に係留させるためのラッチ部材３と、を備えている。
【０００９】
図２及び図３に於て、取手部材２は、両側縁部21，22の内、扉本体１の基端側縁部11側の側縁部21を、扉本体１に枢着して、平面視で、扉本体１の扉開動作揺動方向Ｎ１と、取手部材２の開操作揺動方向Ｎ２を同方向としている。即ち、本考案に於て、平面視にて、扉開動作揺動方向Ｎ１と開操作揺動方向Ｎ２とが「同方向」とは、いずれも、反時計廻りである場合（又は、いずれも時計廻りである場合）を言う。
図２乃至図６に於て、具体的には、取手部材２は、扉本体１の基端側縁部11寄りの側縁部21に、上下一対の軸部29，29を有している。そして、取手部材２は、扉本体１の先端側縁部12寄りに固着された前方開口箱型のケース部材５に内装され、上下一対の軸部29，29がケース部材５に差し込まれて、鉛直状の枢着軸心Ｌ２廻りに揺動自在に枢着されている。つまり、取手部材２はケース部材５を介して、扉本体１に枢着されている。
なお、扉本体１の基端側縁部11側を、扉吊元側と呼び、扉本体１の先端側縁部12側を、扉反吊元側と呼ぶ場合がある。
【００１０】
また、取手部材２は、操作者の手が係止される操作用の引掛縁部28を、両側縁部21，22の間（取手部材２の左右方向中間位置）に有している。つまり、引掛縁部28を、上下一対の軸部29，29（枢着軸心Ｌ２）より扉本体１の先端側縁部12側（扉反吊元側）に配設している。言い換えると、引掛縁部28からみて、枢着軸心Ｌ２と扉枢着軸心Ｌ１を、左右同方向に配設しているとも言える。
【００１１】
また、取手部材２は、扉本体１の表て面１ｄに対する取手部材２の表て面２ｄの角度である開操作揺動角度θが所定角度（例えば、３°〜７°）を越えると、取手部材２の扉吊元側の側縁部21に設けられた当り部91が、ケース部材５に設けられた規制部92に当接して、取手部材２を手前に揺動させる操作力が扉本体１に伝達される。なお、当り部91及び規制部92の配置は自由である。規制部92は、取手部材２の揺動を規制可能であれば、ケース部材５に限らず扉本体１に設けても良い。
また、上下一対の軸部29，29は、扉吊元側の側縁部21の上面に設けられた上軸部29ａと、扉吊元側の側縁部21の下面に下方突出状に設けられた下軸部29ｂである。
【００１２】
さらに、本考案の扉は、図２及び図３に於て、取手部材２よりも扉反吊元側に鉛直状に配設されラッチ部材３が外嵌される角棒型の伝達軸６と、伝達軸６に外嵌され取手部材２からの操作力を受けて伝達軸６を鉛直状軸心Ｌ３回りに回転させる連動部材７と、ラッチ部材３を係留可能姿勢に常時弾発付勢する弾発付勢部材（図示省略）と、を備えている。
係留可能姿勢とは、扉本体１を筐体９の係止部９ａにラッチ部材３の爪部３ａが係留可能な（図２に示すような）姿勢である。また、ラッチ部材３が、扉本体１を筐体９に係留不可能な（図３に示すように爪部３ａと係止部９ａが離間している）姿勢を、係留解除姿勢と呼ぶ。
【００１３】
取手部材２は、扉反吊元側の側縁部22から扉反吊元側へ突出する突片部23を有している。突片部23は、横断面一文字状の板部23ａと、板部23ａから前方（表て面２ｄ側）に突出する凸部23ｂと、を有する横断面横倒Ｌ字状に形成されている。
ラッチ部材３は、２つ設けられ、伝達軸６の上端部と下端部に固着されている。ラッチ部材３は、先端部に、筐体９の開口部の上縁部と下縁部に設けられた切欠きによって形成される係止部９ａに係留するための鉤状の爪部３ａを有している。また、ラッチ部材３は、爪部３ａが扉吊元側３へ揺動して係止部９ａとの係合が解除される。
連動部材７は、伝達軸６に外嵌する円筒部と、円筒部から取手部材２側（扉吊元側）に突出して取手部材２の凸部23ｂに当接する当り片部73と、を有している。
【００１４】
そして、取手部材２と、連動部材７と、伝達軸６と、ラッチ部材３と、を、図３に示すように、扉本体１の表て面１ｄに対する取手部材２の表て面２ｄの角度である開操作揺動角度θが３°〜７°の角度で、取手部材２が開操作揺動方向Ｎ２に揺動操作されると、ラッチ部材３が、２５°〜４０°のラッチ揺動角度αをもって鉛直軸心Ｌ３廻りに揺動し、ラッチ部材３による扉本体１の係留状態が解除されるように構成している。
【００１５】
具体的には、図２に示すように、ラッチ部材３が筐体９に係留して、扉本体１の開揺動が阻止された係留状態に於て、取手部材２の凸部23ｂと連動部材７の当り片部73の接触部位を、相互当接部位Ｐと呼び、平面視で枢着軸心Ｌ２から相互当接部位Ｐまでの距離を第１寸法Ｓ１とし、平面視で鉛直状軸心Ｌ３から相互当接部位Ｐまでの距離を第２寸法Ｓ２とすると、第１寸法Ｓ１を、第２寸法Ｓ２の５〜８倍の長さに設定している。
したがって、開操作揺動角度θよりも、ラッチ部材３の鉛直軸心Ｌ３廻りのラッチ揺動角度αが、６〜８倍の角度で揺動するにように構成されている。
【００１６】
例えば、第１寸法Ｓ１を第２寸法Ｓ２の５.５〜６.５倍に設定し、取手部材２が略５°の開操作揺動角度θで操作されると、ラッチ部材３が略３４°のラッチ揺動角度αをもって、係留解除状態となるように構成している。
【００１７】
なお、図１に於ては観音開きの構成を例示し、同図の左側の扉15は、左側縁を中心として手前へ開かれるが、そのロックは右側の扉本体１の閉鎖にて行なわれている。また、片開き扉に本考案を応用するも自由である。
また、本考案は設計変更可能であって、扉本体１とケース部材５を一体状に設けても良い。また、取手部材２の当り部91を突片部23の板部23ａとするも良い。また、本考案の扉は、キャビネットやロッカー等の収納庫に付設される収納用扉とするのが好ましい。
【００１８】
次に、上述した本考案の扉の使用方法（作用）について説明する。
図２に示すように、ラッチ部材３が、筐体９の係止部９ａに係合して、扉本体１の開動作が阻止されている係留状態から、操作者は、引掛縁部28に手を掛けて扉を開こうとする。それに伴って、取手部材２は、扉本体１の扉開動作揺動方向Ｎ１と同じ方向である開操作揺動方向Ｎ２に揺動する。取手部材２の凸部23ｂが連動部材７の当り片部73を押圧し、連動部材７が鉛直状軸心Ｌ３廻りに揺動する。連動部材７と同じ揺動角度をもって、伝達軸６とラッチ部材３が揺動する。
【００１９】
図３に示すように、取手部材２が僅かに前方に引き出され、開操作揺動角度θが３°〜７°となると、ラッチ部材３は、開操作揺動角度θの５〜８倍のラッチ揺動角度αで大きく揺動して、係留解除姿勢となる。
【００２０】
さらに、開操作揺動角度θが３°〜７°を越えるように、操作者が取手部材２を開操作揺動方向Ｎ２に引き出そうとすると、取手部材２の当り部91が規制部92に当接して枢着軸心Ｌ２廻りの揺動が阻止され、その操作力は、扉本体１に伝達される。扉本体１は操作力を受けて扉枢着軸心Ｌ１廻りの扉開動作揺動方向Ｎ１に揺動し、扉が開かれる。
【００２１】
操作者に、係留を解除するために取手部材２を揺動させる動作と、扉本体１を揺動させるための動作と、を、違和感なくスムーズに連続的に行なわせる。操作者に、取手部材２で係留を解除しようと意識させることなく、扉を開こうする一連の動きの中で、自然に、扉を開かせる。
【００２２】
以上のように、本考案の扉は、基端側縁部11が枢着される扉本体１と、扉本体１の先端側縁部12寄りに配設される取手部材２と、取手部材２の揺動操作に連動するラッチ部材３と、を備えた扉に於て、取手部材２の両側縁部21，22の内、扉本体１の基端側縁部11側の側縁部21を枢着し、平面視で、扉本体１の扉開動作揺動方向Ｎ１と、取手部材２の開操作揺動方向Ｎ２を同方向としたので、開操作をする際に手首に負担がかからず、容易かつスムーズに扉を開くことができる。手首を痛める虞が少なく、関節の弱い身体弱者であっても安全に扉を開けることができる。操作性に優れ、円滑かつ自然に扉を開けることができる。操作者に、係留を解除するために取手部材２を揺動させる動作と、扉本体１を揺動させるための動作とを、違和感なくスムーズに連続的に行なわせることができる。つまり、取手部材２で係留を解除しようと意識させることなく、扉を開こうする一連の動きの中で、取手部材２に手を掛けることで自然に、ラッチ部材３による扉本体１の係留状態が解除されると共に扉を開くことができる。
【００２３】
また、扉本体１の表て面１ｄに対する取手部材２の開操作揺動角度θが、３°〜７°の角度をもって、ラッチ部材３による扉本体１の係留状態が解除されるように構成されているので、僅かに取手部材２を揺動操作するだけで、即座に係留状態が解除され扉を開くことができる。手首を大きく振るような動作が必要なく、操作が直感的に行なえ、容易かつスムーズに係留の解除と扉本体１の揺動を連続的に行なうことができる。
【符号の説明】
【００２４】
１  扉本体
１ｄ  表て面
２  取手部材
３  ラッチ部材
11  基端側縁部  
12  先端側縁部
21  側縁部
22  側縁部
θ  開操作揺動角度
Ｎ１  扉開動作揺動方向
Ｎ２  開操作揺動方向
【図１】
0003174356.tif 000003
【図２】
0003174356.tif 000004
【図３】
0003174356.tif 000005
【図４】
0003174356.tif 000006
【図５】
0003174356.tif 000007